(57)【要約】【課題】調節可能なシャシーを提供する。【解決手段】調節可能なシャシーは、電源サプライヤー、少なくとも１つの第１の素子摺動部材を収容するための第１の側壁、及び第１のロック部を含む上シャシー構造を有する。下シャシー構造は、少なくとも１つの第２の素子摺動部材を収容するための第２の側壁、上シャシー構造の第１のロック部に接合される第２のロック部、及び電源サプライヤーから電源を得るための電源コネクタを含む。別の第２の素子摺動部材を加える必要がある場合、電源サプライヤーが上シャシー構造に存在するため、下シャシー構造は高容量構造に置換されてよい。【選択図】図１Ａ
2019121787.tif 000002
【特許請求の範囲】
【請求項１】
電源サプライヤー、少なくとも１つの第１の素子摺動部材を収容するための複数の第１の側壁及び第１のロック部を含む第１のシャシー構造と、
少なくとも１つの第２の素子摺動部材を収容するための複数の第２の側壁、前記第１のシャシー構造の前記第１のロック部に接合される第２のロック部、及び前記電源サプライヤーから電源を得る第１の電源コネクタを含む第２のシャシー構造と、
を備え、
前記第１のシャシー構造と前記第２のシャシー構造とは、互いに摺動的に接合する調節可能なシャシー。
【請求項２】
前記第１のシャシー構造は、前記第１のシャシー構造の後端に位置する導電性バスアセンブリを含む請求項１に記載の調節可能なシャシー。
【請求項３】
前記第２のシャシー構造は、前記第１のシャシー構造の前記導電性バスアセンブリに接合される垂直バスユニットを含む請求項２に記載の調節可能なシャシー。
【請求項４】
前記第１のシャシー構造は、配電モジュールを含む請求項１〜３の何れか１項に記載の調節可能なシャシー。
【請求項５】
前記導電性バスアセンブリは、配電モジュールに取り付けられる第１端を有する水平ブラケットと、前記水平ブラケットの前記第１端に対する第２端に取り付けられる垂直導電性バスユニットと、を含む請求項２又は３に記載の調節可能なシャシー。
【請求項６】
前記第２のシャシー構造の前記垂直バスユニットを前記第１のシャシー構造の前記導電性バスアセンブリに接続させる接続部材を更に含む請求項３に記載の調節可能なシャシー。
【請求項７】
前記第２のシャシー構造は、第１の予定数の前記第２の素子摺動部材を支持することができる請求項１〜６の何れか１項に記載の調節可能なシャシー。
【請求項８】
第２の予定数の前記第２の素子摺動部材を収容する複数の第３の側壁と、
前記第１のシャシー構造の前記第１のロック部に接合される第３のロック部と、
前記電源サプライヤーから電源を得るための第２の電源コネクタと、
を含む第３のシャシー構造を更に備え、
前記第２のシャシー構造は、第１の予定数の前記第２の素子摺動部材を支持することができ、
前記第２の予定数が前記第１の予定数と異なり、
前記第３のシャシー構造が前記第２のシャシー構造と置換することができる請求項１〜６の何れか１項に記載の調節可能なシャシー。
【発明の詳細な説明】
【技術分野】
【０００１】
本開示は、シャシーモジュールに関し、具体的に、異なる素子摺動部材を収納するように、内部支持素子を有する第１のシャシー及び第１のシャシーと異なるサイズを有する第２のシャシーを含む。
【背景技術】
【０００２】
コンピュータにおけるアプリケーションのために現れたクラウド技術により、リモートインストール（データセンターと呼ばれる）の要求が高まり、データセンターはデータを保存し、また、リモートで接続されるコンピュータデバイスユーザーによりアクセス可能なアプリケーションを実行することができる。このようなデータセンターは、データを格納及び処理するように、一般的に、サーバ、スイッチ、及び保存素子等の多数の素子を有するため、リモートコンピュータユーザが便利な方法でデータをアクセスすることができる。典型的なデータセンターには、電源及び通信的に接続されたエンティティのラック（ｒａｃｋ）又はシャシー（ｃｈａｓｓｉｓ）構造がある。このようなラックには、ラックの内外へ移動可能な複数のネットワーク素子を収容することができる。
【０００３】
典型的なラックは、底壁及び上壁によって接合する側壁を有するシャシーを含み、また、複数のラックに取り付けられる素子を支持するための電子支持素子を含む。例として、ラックシステムは、電源をラックにおける素子に給電するように、電源サプライヤーユニットを含む配電モジュールを備えてよい。導電性バス（ｂｕｓ  ｂａｒ）は、ケーブルに対する支持（ｓｕｐｐｏｒｔ）を提供するように配置されて、電源を電源サプライヤーユニットからラックにおける素子にガイドしてよい。各側壁は、例えば、周期的に間隔をあけて配置されたトレンチ又は調整シートのような複数のロック部（ｒｅｇｉｓｔｒａｔｉｏｎ  ｆｅａｔｕｒｅｓ）を有する。複数の仕切り板は、ロック部における側壁の間に取り付けられる。取り付けられると、各仕切り板は、異なるネットワーク素子を支持（ｈｏｌｄ）することができる。異なるネットワーク素子、例えば、サーバ、スイッチ、ルーター及び類似物等は、移動可能な摺動部材（ｓｌｅｄ）で支持され、この摺動部材がラックのうちの１つの仕切り板にはめ込んでよい。典型的な摺動素子のサイズは、標準の高度ユニットに基づくものである。例として、高度が「Ｕ」字で示されてよいので、標準の１Ｕラックマウントサーバの高さが１．７５インチであり、２Ｕサーバの高さが３インチであり、典型的なネットワーク素子は、異なる標準ユニットの高度を有するように設計されてよい。
【０００４】
現在のラックは、側壁の高さにより制限され、ラック内のネットワーク素子が同じ素子又は同じサイズを有する異なる素子である場合、現在の配列では、良好に機能することができる。しかしながら、そのような配列は、内部空間を本質的に（ｉｎｈｅｒｅｎｔｌｙ）制限して、異なる数の摺動部材を効果的に設定する。別の摺動部材を、摺動部材の設定されたラックに追加することはできない。更に、ネットワーク素子及びそれらの対応する摺動素子は、異なるサイズ（例えば、異なる幅及び高さ）を有することが多いため、異なる素子に対して異なるシャシー設計を使用しなければならない。異なる高さの素子又は１つのシャシーにおける別の素子を収容するには、シャシーを交換する必要がある。その結果、ネットワーク装置が絶えず更新され、そのような状況が問題を引き起こし、且つデータセンターの管理者が新しい設備を探して追加することがあり、支出が増加し、運用効率が犠牲になる。更に、新しいネットワーク設備が異なるサイズを有してよいので、データ処理センターの管理者は、所望の新しい設備を収容するために、ラックを交換する必要がある。
【発明の概要】
【発明が解決しようとする課題】
【０００５】
従って、異なる高さを有する異なる摺動部材を収納するように調整しやすい調節可能なシャシーが所望され、電源サプライヤーユニット及び導電性バスを固定しまた異なるサイズの素子を収納できるシャシーが所望され、また、別の素子を収納するように組み合わせて調整を行うことのできる調節可能なシャシーも所望される。
【課題を解決するための手段】
【０００６】
一部の実施形態によれば、電源サプライヤー、少なくとも１つの素子摺動部材を収容するための複数の側壁及びロック部を含む第１のシャシー構造と、少なくとも１つの素子摺動部材を収容するための複数の側壁、前記第１のシャシー構造のロック部を接合するためのロック部、及び前記電源サプライヤーから電源を得るための電源コネクタを含む第２のシャシー構造と、を備え、前記第１のシャシー構造と前記第２のシャシー構造とは、互いに摺動的に接合する調節可能なシャシーを提供する。
【発明の効果】
【０００７】
上記実施形態において、電源サプライヤー又は他の支持素子と関連するように設計する必要はないため、下シャシー構造の高さは、異なるサイズの電子素子を収納するためのより多くの空間を提供するようにカスタマイズされてよく、下シャシー構造のサイズも別の電子素子を加えるように選択されてよい。
【図面の簡単な説明】
【０００８】
以下の詳細な説明及び対応する図面を読むと、本開示の複数の態様を理解することができる。注意すべきなのは、図面における複数の特徴は、業界の標準的な実践に従って実際の縮尺を描いていない。実際に、記載された特徴のサイズは、議論の明瞭性を容易にするために任意に増減されることができる。
【図１Ａ】２つのシャシーを示す分解側面図である。
【図１Ｂ】図１Ａに示す２つのシャシーを示す分解斜視図である。
【図２Ａ】図１Ａの２つのシャシーのアセンブリを示す側面図である。
【図２Ｂ】図１Ａの２つのシャシーのアセンブリを示す前面斜視図である。
【図２Ｃ】図１Ａの２つのシャシーのアセンブリを示す後面斜視図である。
【図３Ａ】図１Ａの２つのシャシーのアセンブリの接続形態の後側を示す特写側面図である。
【図３Ｂ】図３Ａの２つのシャシーのアセンブリの接続形態の後側を示す特写斜視図である。
【図４Ａ】図１Ａの２つのシャシーのアセンブリの接続形態の前側を示す特写側面図である。
【図４Ｂ】図１Ａの２つのシャシーのアセンブリの接続形態の前側を示す特写斜視図である。
【図５】より多くの素子摺動部材を支持するために図１Ａと異なるサイズを有するシャシーを示す分解図である。
【発明を実施するための形態】
【０００９】
以下、図面及び詳細な説明によって本発明の精神を明確に説明するが、当業者であれば、本開示の実施例を理解した上で、本開示の教示した技術に基づいて、本開示の精神や範囲から逸脱せずに、変更や修正を加えることができる。例として、「第１の特徴が第２の特徴の上方又はその上に形成される」と説明する場合、実施例には、第１の特徴と第２の特徴が直接接触することを含み、第１の特徴と第２の特徴が直接接触せずに、別の特徴が第１の特徴と第２の特徴との間に形成されることも含む。また、本開示では、複数の範例において、素子符号及び／又は文字を繰り返して使用する。その繰り返して使用することは、その自体が複数の実施例及び／又は検討される配置の間の関係を決定するものではなく、簡単化また理解させるためのものである。
【００１０】
なお、例えば、「〜の下にある」、「以下」、「下」、「上方」、「上」及び類似な用語のような空間相対用語は、ここで、図に示す１つの素子又は特徴が別の素子又は特徴に対する相対的な関係の記述を説明しやすくするためのものである。装置の図面に示す向き以外、空間相対用語は、装置の使用又は操作中の異なる向きを示す。設備が別に設置（９０度回転する又は他の向きに）される場合、本文で使用された空間相対用語も同様に解釈されてよい。
【００１１】
図１Ａ及び図１Ｂは、シャシー部材１００を示して、素子の組立改変の弾性を提供し、支持素子の固定構造を維持する。シャシー部材１００は、上シャシー構造１０２及び下シャシー構造１０４を含み、下記のように、上シャシー構造１０２及び下シャシー構造１０４の何れも、この２つの構造の内外へ移動可能な素子摺動部材（ｃｏｍｐｏｎｅｎｔ  ｓｌｅｄ）を支持することができる。上シャシー構造１０２は側壁１１０及び１１２を有し、側壁１１０及び１１２は上辺（ｔｏｐ  ｅｄｇｅｓ）を有する。側壁１１０及び１１２の上辺は、上壁１１４によって接合する。側壁１１０及び１１２は、ロック部（例えば、素子摺動部材を支持するための、ラック１１５により分けられる溝）を含む。各素子摺動部材は、ネットワーク素子（例えば、サーバ、スイッチ、ルータ、メモリ素子又は類似物）を収納することができる。上シャシー構造１０２は、素子摺動部材を埋め込み又は削除するように、開放型の前端１１６を含む。側壁１１０及び１１２の底辺は、下シャシー構造１０４に合致する接合部を含み、以下で検討する。
【００１２】
側壁１１０及び１１２の底辺は、配電モジュール（ｐｏｗｅｒ  ｄｉｓｔｒｉｂｕｔｉｏｎ  ｂｏａｒｄ）１２０を支持するように、クロス部材（ｃｒｏｓｓ  ｍｅｍｂｅｒ）を更に含む。配電モジュール１２０は、シャシー部材１００の中に取り付けられる異なる素子摺動部材を支持するように、電子素子を含む。この実施形態において、配電モジュール１２０は、電源サプライヤーユニット１２２を電源サプライヤーシャシー１２４に取り付ける。理解すべきなのは、配電モジュール１２０は、複数の電源サプライヤーユニット（例えば、電源サプライヤーユニット１２２）を提供することができる。この実施形態において、配電モジュール１２０は、例えば、４つの電源サプライヤーユニット１２２のような、４つの電源サプライヤーユニットを含む。例えば、シャシー管理コントローラ（ｃｈａｓｓｉｓ  ｍａｎａｇｅｍｅｎｔ  ｃｏｎｔｒｏｌｌｅｒ）及びインタフェース回路のような電子素子を、配電モジュール１２０に取り付けられてよい。また、例えば、ファン及びヒートシンクのような機械素子を、配電モジュール１２０における電源サプライヤーユニットに提供されてもよい。
【００１３】
導電性バスアセンブリ１３０は、上シャシー構造１０２の内部に提供され、電源サプライヤーユニット１２２からの電源を上シャシー構造１０２に嵌め込まれる素子摺動部材のケーブル（未図示）に接続させる。この実施形態において、導電性バスアセンブリ１３０は、第１端が垂直導電性バスユニット１３４に接続される水平支持部材１３２を含む。垂直導電性バスユニット１３４は、ほぼ側壁１１０及び１１２の高さまで延伸して且つ上シャシー構造１０２の後端に近接する。垂直導電性バスユニット１３４は、電源ケーブルによって電源を上シャシー構造１０２に取り付けられる素子摺動部材に提供する。水平支持部材１３２の第１端に対する第２端は、配電モジュール１２０に固定される。水平支持部材１３２及び垂直導電性バスユニット１３４の接合は、接続点１３６を含む。
【００１４】
側壁１１０及び１１２は、それぞれ上シャシー構造１０２の前端１１６から延伸するフランジ１４０及び１４２を更に含む。フランジ１４０及び１４２は、上シャシー構造１０２に嵌め込まれる摺動部材を更に強固にするように、異なるロック部を含む。
【００１５】
図１Ａ及び図１Ｂに示すように、下シャシー構造１０４は、１対の側壁１５０及び１５２を含む。側壁１５０及び１５２の底部が底壁１５４によって接合される。側壁１５０及び１５２は、素子摺動部材を支持するための仕切り板１５５（ｓｈｅｌｖｅｓ）によって定義される溝のようなロック部を含む。側壁１５０及び１５２は、開放型の前端１５６を形成する。上壁１５８は、側壁１５０及び１５２の上部を接合する。別の素子摺動部材は、開放型の前端１５６を貫通して嵌め込んでよい。側壁１５０及び１５２の上部は、下シャシー構造１０４を上シャシー構造１０２に接合するように、側壁１１０及び１１２の係合部に係合可能な係合部（ｅｎｇａｇｅｍｅｎｔ  ｆｅａｔｕｒｅｓ）を含む。
【００１６】
垂直バスユニット１６０（ｖｅｒｔｉｃａｌ  ｂｕｓ  ｂａｒ）は、下シャシー構造１０４の底辺に近接する底壁１５４により支持される。垂直バスユニット１６０は、電力ケーブルによって電源を下シャシー構造１０４に取り付けられる素子摺動部材に提供する。垂直バスユニット１６０は、下シャシー構造１０４の後端に取り付けられる底壁１５４の第１端１６２を有する。上シャシー構造１０２と下シャシー構造１０４が一緒に接合される場合、上シャシー構造１０２の接続点１３６を接合するように、垂直バスユニット１６０の第１端１６２に対する端部が接続点１６４を有する。
【００１７】
上シャシー構造１０２と下シャシー構造１０４は、摺動的に互いに接合して、単一な構造を形成する。図１Ａの矢印１７０に示すように、上シャシー構造１０２は、下シャシー構造１０４の前端１５６に組み合わせてよい。上シャシー構造１０２は、導電性バスアセンブリ１３０が垂直バスユニット１６０に揃えるまで、図１Ａの右側へ移動してよい。側壁１５０及び１５２の上辺は、上シャシー構造１０２が下シャシー構造１０４の上壁１５８に寄る（ｒｅｓｔ）ように、タブ１７２を含む。下シャシー構造１０４は、上壁１５８の後端から延伸するバックストップ部材（ｂａｃｋ  ｓｔｏｐ  ｍｅｍｂｅｒ）１７４も含む。バックストップ部材１７４は、上シャシー構造１０２が上壁１５８の一側から滑ることを避ける。バックストップ部材１７４は、上シャシー構造１０２のホール（ｈｏｌｅ）に合わせて上シャシー構造１０２をバックストップ部材１７４にロックするように、突出ガイドピン（ｐｒｏｔｒｕｄｉｎｇ  ｇｕｉｄｅ  ｐｉｎｓ）１７６を含む。調整シート１８０及び１８２は、それぞれ下シャシー構造１０４の前端の側壁１５０及び１５２の前面に位置するフランジ１８４及び１８６から延伸する。調整シート１８０及び１８２は、上シャシー構造１０２のフランジ１４０及び１４２に固定されて、次に、導電性バスアセンブリ１３０が接続点１３６を接続点１６４に係合することで垂直バスユニット１６０と接続されてよい。このように、導電性バスアセンブリ１３０及び垂直バスユニット１６０からなる導電性バス構造は、上シャシー１０２及び下シャシー１０４の接合から伸び出した高さまで延伸する。つまり、上シャシー構造１０２のフランジ１４０及び１４２を上シャシー構造１０２のロック部とし、下シャシー構造１０４の調整シート１８０及び１８２を下シャシー構造１０４のロック部とする。
【００１８】
組み立てられたシャシー部材１００は、図２Ａ（図２Ａは、組み立てられた上シャシー構造１０２及び下シャシー構造１０４の断面図である）、図２Ｂ（組み立てられた上シャシー構造１０２及び下シャシー構造１０４を示す前面斜視図である）及び図２Ｃ（組み立てられた上シャシー構造１０２及び下シャシー構造１０４の後面斜視断面図である）に示される。図２Ａ〜２Ｃは、図１Ａ〜１Ｂの対応素子と類似であり、同じ素子符号で示される。図２Ａに示すように、４つの素子摺動部材２０２、２０４、２０６及び２０８は、上シャシー構造１０２のラック１１５の中に取り付けられ、垂直導電性バスユニット１３４に取り付けられる各々のコネクタ２１２、２１４、２１６及び２１８を含む。コネクタ２１２、２１４、２１６及び２１８は、配電モジュール１２０における電源供給ユニットが分布する垂直導電性バスユニット１３４からの電源を取得する。従って、上シャシー構造１０２における素子摺動部材２０２、２０４、２０６及び２０８は、配電モジュール１２０における電源供給ユニットにより動力が提供される。素子摺動部材２０２、２０４、２０６及び２０８は、図１Ｂに示す側壁１１０と１１２との間に嵌め込まれて、且つ各々のコネクタ２１２、２１４、２１６及び２１８によって接続される。
【００１９】
類似的に、素子摺動部材は、下シャシー構造１０４の前端１５６によって仕切り板１５５に嵌め込み且つ取り付けられてよい。この実施形態において、５つの素子摺動部材２２０、２２２、２２４、２２６及び２２８は、図２Ａに示す下シャシー構造１０４の中に取り付けられる。素子摺動部材２２０、２２２、２２４、２２６及び２２８は、垂直バスユニット１６０に取り付けられる各々のコネクタ２３０、２３２、２３４、２３６及び２３８を含む。コネクタ２３０、２３２、２３４、２３６及び２３８は、配電モジュール１２０に位置する電源供給ユニットから電源を得る。電源は、垂直導電性バスユニット１３４から垂直バスユニット１６０に分布する。従って、下シャシー構造１０４における素子摺動部材２２０、２２２、２２４、２２６及び２２８は、配電モジュール１２０に位置する電源分布ユニットにより給電される。
【００２０】
図３Ａは、特写側面図である。図３Ｂは、垂直導電性バスアセンブリ１３０（図１Ａに示す上シャシー構造１０２に組み立てられる）が垂直バスユニット１６０（図１Ａに示す下シャシー構造１０４に組み立てられる）に接続する形態を示す斜視図である。図３Ａ〜図３Ｂの素子は、類似して図１Ａ〜２の素子に対応して同じ素子符号で示される。図３Ａに示すように、ファスナー３００は、接続点１３６及び接続点１６４を接合する。ファスナー３００は、内部電気的接続によって垂直導電性バスアセンブリ１３０から電源を得る。電源は、ファスナー３００によってケーブル３０２（ケーブル３０２は、電源を垂直バスユニット１６０のプラグ（ｐｌｕｇ）３０４に提供してよい）に伝送される。従って、垂直バスユニット１６０は、例えば、素子摺動部材２２０のコネクタ（例えばコネクタ２３０）を介して（図２Ａに示す）、下シャシー構造１０４に位置する素子摺動部材の給電に用いられてよい。
【００２１】
図３Ａ〜３Ｂに示すように、垂直導電性バスアセンブリ１３０（図１Ａ）は、分離される構造素子を有してよい。この実施形態において、水平支持部材１３２は、垂直導電性バスユニット１３４から独立するので、１セットのネジ３１０によって水平支持部材１３２を垂直導電性バスユニット１３４に接合する。
【００２２】
図４Ａは、特写側面図である。図４Ｂは、上シャシー構造１０２が下シャシー構造１０４に接続する形態の前側を示す斜視図である（図２に示す）。図４Ａ〜図４Ｂは、図１Ａ〜２の素子と類似して対応し、同じ素子符号で示される。図４Ａ〜図４Ｂに示すように、上シャシー構造１０２が下シャシー構造１０４にペアリングされる場合、フランジ１４０及び１４２の底辺がフランジ１８４及び１８６の調整シート１８０及び１８２に重なる。各フランジ１４０及び１４２は、調整シート１８０及び１８２に揃えるホールのような構造を有する。上シャシー構造１０２が適切に下シャシー構造１０４に置かれる場合、ネジ４００は、図４Ｂに示すように、フランジ１４０を調整シート１８０に接合するようにはめ込まれてよい。同様に、一方、ネジ４０２は、図４Ａに示すように、フランジ１４２を調整シート１８２に接合するようにはめ込まれてよい。従って、上シャシー構造１０２及び下シャシー構造１０４は、図１Ｂに示すように、ネジ４００及び４０２、及び上シャシー構造１０２によってガイドピン１７６にはめ込まれて、前面に固定される。
【００２３】
図２Ａ〜図２Ｃに戻る。上シャシー構造１０２における素子摺動部材は、ネットワークシステムを構成してよい。下シャシー構造１０４の素子摺動部材は、分離された（ｓｅｐｅｒａｔｅ）ネットワークシステムを構成してよい。各々のこのようなシステムは、電源を素子摺動部材に設置される電子素子に伝送するように、電源サプライヤーを有しなければならない。上記のように、電源サプライヤーユニットは、上シャシー構造１０２の配電モジュール１２０に取り付けられるので、電源サプライヤー又は他の支持素子と関連するように設計する必要がない。そのため、下シャシー構造１０４の高さは異なるサイズの電子素子を収納するためのより多くの空間を提供するようにカスタマイズされてよく、下シャシー構造１０４のサイズも別の電子素子を加えることができるように選択されてよい。
【００２４】
図５は、異なるサイズを組み込むことのできる下シャシー構造（下シャシー構造１０４（図１Ａ〜図２）を含む）の分離されるシャシー部材５００を示す。この実施形態において、シャシー部材５００は、上記の図１Ａ〜図２に示す上シャシー構造１０２を含むため、図５における上シャシー構造１０２は図１Ａ〜２の素子と類似であり、同じ素子符号で示される。
【００２５】
シャシー部材５００は、上シャシー構造１０２と合わせることのできる下シャシー構造５１０を含む。下シャシー構造５１０は、空間上で図２Ａに示す下シャシー構造１０４よりも大きいため、別の素子摺動部材５２０が下シャシー構造５１０の中に取り付けられてよい。この実施形態において、下シャシー構造５１０は、１０つの素子摺動部材を設置する容量を有する。従って、５つよりも多くの素子摺動部材（図２Ａにおける下シャシー構造１０４の容量）を必要とする場合、下シャシー構造１０４は、図５に示す下シャシー構造５１０により置換されてよい。同じ上シャシー構造１０２が電源を何れの下シャシー構造１０４又は５１０に提供することに用いられてよいため、電源サプライヤーは、新たな下シャシー構造（例えば下シャシー構造５１０）に適応するように置換する必要はない。
【００２６】
下シャシー構造５１０は、接続点５３２を有する垂直バスユニット５３０を含む。接続点５３２は、ファスナーを使用して、図３Ａ〜図３Ｂと類似する接続によって導電性バスアセンブリ１３０の接続点１３６に接続されてよい。下シャシー構造５１０が上シャシー構造１０２にペアリングされると、電源は、導電性バスアセンブリ１３０から垂直バスユニット５３０へ提供されることで、下シャシー構造５１０における素子摺動部材５２０に給電してよい。
【００２７】
以上、複数の実施形態又は実施例の特徴を説明することで、当業者が様々な態様から本開示を理解できるようにする。当業者であれば、本開示に基づいて他のプロセス及び構造を容易に設計又は修正し、同じ目的を達成させ、及び/又はここで説明される実施形態又は実施例と同じメリットを達成させることができることは、理解すべきである。当業者であれば、これらの相当な構造は、本開示の精神及び範囲から逸脱するものではないことを、理解すべきである。本開示の精神及び範囲から逸脱しない限り、本開示に様々な変更、置換、又は修正を行うことができる。
【符号の説明】
【００２８】
１００、５００  シャシー部材
１０２  上シャシー構造
１０４  下シャシー構造
１１０、１１２、１５０、１５２  側壁
１１４、１５８  上壁
１１５  ラック
１１６、１５６  前端
１２０  配電モジュール
１２２  電源サプライヤーユニット
１２４  電源サプライヤーシャシー
１３０  導電性バスアセンブリ
１３２  水平支持部材
１３４  垂直導電性バスユニット
１３６、１６４、５３２  接続点
１４０、１４２、１８４、１８６  フランジ
１５４  底壁
１５５  仕切り板
１６０、５３０  垂直バスユニット
１６２  第１端
１７０  矢印
１７２  タブ
１７４  バックストップ部材
１７６  ガイドピン
１８０、１８２  調整シート
２０２、２０４、２０６、２０８、２２０、２２２、２２４、２２６、２２８、５２０  素子摺動部材
２１２、２１４、２１６、２１８、２３０、２３２、２３４、２３６、２３８  コネクタ
３００  ファスナー
３０２  ケーブル
３０４  プラグ
３１０、４００、４０２  ネジ
５１０  下シャシー構造
【図１Ａ】
2019121787.tif 000003
【図１Ｂ】
2019121787.tif 000004
【図２Ａ】
2019121787.tif 000005
【図２Ｂ】
2019121787.tif 000006
【図２Ｃ】
2019121787.tif 000007
【図３Ａ】
2019121787.tif 000008
【図３Ｂ】
2019121787.tif 000009
【図４Ａ】
2019121787.tif 000010
【図４Ｂ】
2019121787.tif 000011
【図５】
2019121787.tif 000012